(57)【要約】【課題】  薬剤散布運転作業中に使用操作する計器類やスイッチ類および操作レバーを見やすい位置に、また操作しやすい位置に配置し、特に小形のスピードスプレヤーの運転席のスペースを広く確保する。【解決手段】  薬剤散布運転作業時操作する操作スイッチ，計器類，各操作レバーおよび主変速レバーをハンドル下方の運転座席前方に集中して配置したことにより、進行方向前方を注視しながら各操作が可能で、運転座席左右のスペースを広く取ることができる。【選択図】      図１
2005193092.tif 000002
【特許請求の範囲】
【請求項１】
走行ミッションと車輪を備え走行可能とした台車枠に、ハンドルと運転座席を備えた運転席と、薬液を貯留する薬液タンクと、エンジン及び動噴ポンプを備えた駆動室と、噴霧ノズルを備えた散布装置を配置したスピードスプレヤーにおいて、少なくも薬剤散布運転作業時に操作使用する操作スイッチ，計器類，動墳ポンプの作動レバー，送風ファンの作動レバー，噴霧バルブの開閉レバーおよび主変速レバーをハンドル下方の運転座席前方に集中して配置したことを特徴とするスピードスプレヤー。
【発明の詳細な説明】
【技術分野】
【０００１】  本発明は、自走型のスピードスプレヤーの駆動構成に関するもので、特に小型化した場合の操作性に係るものである。
【背景技術】
【０００２】  従来技術の構成として、運転座席の左右等にスイッチ類および操作レバー関係を備えたスピードスプレヤーは公知であり、同一出願人によるクラッチレバーを座席右側に、変速レバーを座席下方に配置したスピードスプレヤーが提案されている。（特許文献１）
【特許文献１】  実開昭５６−０７６０６８号公報
【発明の開示】
【発明が解決しようとする課題】
【０００３】  従来技術のように、運転座席の左右にスイッチ類や操作レバー関係を備えた場合、運転中に操作するには機体走行前方より目を離して操作することになり、危険でもあり操作しづらく、スピードスプレヤーを中山間地の狭い通路や狭い樹間を通行できるように小形化した場合、運転座席の左右のスペースを広く取れないという問題があった。
【課題を解決するための手段】
【０００４】  上記課題を解決するために、走行ミッションと車輪を備え走行可能とした台車枠に、ハンドルと運転座席を備えた運転席と、薬液を貯留する薬液タンクと、エンジン及び動噴ポンプを備えた駆動室と、噴霧ノズルを備えた散布装置を配置したスピードスプレヤーにおいて、少なくも薬剤散布運転作業時に操作使用する操作スイッチ，計器類，動墳ポンプの作動レバー，送風ファンの作動レバー，噴霧バルブの開閉レバーおよび主変速レバーをハンドル下方の運転座席前方に集中して配置したことを特徴とするスピードスプレヤーを提供したものである。
【発明の効果】
【０００５】  以上のような構成にすることにより、運転作業時には、進行方向前方を注視しながら薬剤散布作業に必要な計器類，ランプ類の確認や動墳ポンプの作動レバー，送風ファンの作動レバー，噴霧バルブの開閉レバーの操作および変速レバーを操作することができ、狭い樹間等を通行可能な小形のスピードスプレヤーの場合、運転座席の左右のスペースを広く取ることができ運転操作が快適にできる。
【発明を実施するための最良の形態】
【０００６】  以下、本発明の実施の形態を図面に基づいて説明する。図１は本発明におけるスピードスプレヤーの一部断面とした側面図、図２は一部断面とした平面図、図３は要部を示す側面図、図４は駆動伝達を示す後面図、図５は運転操作パネルの斜視図である。【０００７】  図１，図２及び図３に示すように、本発明におけるスピードスプレヤーは、台車枠１上に順次運転席２、薬液タンク３、駆動室４、散布装置５を載置し構成される。【０００８】  １の台車枠は前輪１１及び後輪１２からなる車輪と、後輪１２を左右に連結し駆動する走行ミッション１３から構成される。【０００９】  ２の運転席は、座席２１と運転作業時操作使用するスイッチ，レバー，計器類，ランプ類を集中配置した操作パネル２７と、走行変速レバー２２と、車体を操舵するハンドル２３と、走行駆動の伝達制御を行うクラッチペダル２４と、車体を制動するブレーキペダル２５とからなり車体の走行を制御する。【００１０】  薬液タンク３は、果樹木等に散布する薬液を貯留可能とし、駆動室４は、内部にエンジン４１と動噴ポンプ４２が配置される。【００１１】  図４に示すように、エンジン４１の後方に突設されるエンジン出力軸４１ａには、エンジンプーリ４３ａが設けられ、前記走行ミッション１３の走行用入力軸１３ａには走行プーリ４３ｃが設けられ、エンジンプーリ４３ａと走行プーリ４３ｃにはベルト４４が巻架され、クラッチペダル２４で操作される走行テンションプーリ４３ｂにて動力の伝達および遮断が行われる。走行ミッション１３は、走行変速レバー２２と第１操作ロット１５、第２操作ロット１６と変速リンク１４を介して連結され、走行変速レバー２２を操作することにより変速される。【００１２】  エンジンプーリ４３ａの一方には、動噴ポンプ４２の動噴駆動軸４２ａに設けられる大径の動噴プーリ４５にベルト４６が巻架され、動墳ポンプクラッチレバーで操作される動墳テンションプーリ４２ｂにて動力の伝達および遮断が行われる。【００１３】  このように構成することにより、エンジン出力軸４１ａより出力された回転動力は、走行ミッション１３の入力軸１３ａにベルト４４にて減速し入力され、車体を走行駆動可能とする。そして、エンジン出力軸４１ａのエンジンプーリ４３ａと動噴ポンプ４２の動噴プーリ４５へベルト４６にて動力伝達され、テンションクラッチを介して動噴ポンプ４２は駆動される。駆動された動噴ポンプ４２は、薬液タンク３内に貯留した薬液に圧力を加え散布装置５へ送る。【００１４】  ５は散布装置で、回転軸５１と、回転軸５１に取付けられ回転中心より放射状に羽根５２ａを複数枚設けた送風ファン５２と、回転軸５１を回転可能に支持するとともに、支持部より放射状に静翼５３ａを複数枚設けた円筒状の整風筒５３と、送風ファン５２にて吸い込まれる空気の流れを左右及び上方へ拡散する拡散板５４と、拡散板５４と整風筒５３との間に形成される開口部に複数配置され、前記動噴ポンプ４２にて加圧された薬液を噴霧する噴霧ノズル５５から構成される。【００１５】  回転軸５１は、エンジン４１のエンジン出力軸４１ａの端部よりドライブシャフト４７を介し駆動伝達され、送風ファン５２を回転させる。回転軸５１とドライブシャ���ト４７の連結部に電磁クラッチ４８を介在させ、送風ファン５２の回転制御する。回転する送風ファン５２に手が巻き込まれないように、格子状のファンカバー５６が送風ファン５２の後方に配置される。【００１６】  図５に示すように、ハンドル２３の下方に設けた操作パネル２７は、エンジン４１を始動するスイッチ２７ａと、エンジン４１の回転数を制御するアクセル２７ｂと、エンジンの回転数を表示する計器である回転計２７ｃと送風ファン５２を起動する送風ファンクラッチレバー２７ｄと、動墳ポンプクラッチレバー２７ｆと、薬液を噴霧ノズル５５より噴霧させるバルブレバー２６と各作動を示す表示灯２７ｅおよびホーンスイッチ２７ｇが設けられている。【００１７】  散布作業及び各部の作用は、操作パネル２７のスイッチ２７ａを回しエンジン４１を起動させ、アクセル２７ｂにてエンジン４１の回転数を上げ、この時回転計２７ｃにエンジン回転数が表示されるので作業に合った回転数を選択する。エンジン４１より出力される回転動力は、走行ミッション１３と動噴ポンプ４２および送風ファン５２へ伝達される。クラッチペダル２４を踏み、走行変速レバー２２を操作して走行し、クラッチペダル２４を踏むと走行動力が遮断され、ブレーキペダル２５を踏むとブレーキが作動する。【００１８】  動墳ポンプクラッチレバー２７ｆを操作し動墳ポンプ４２を駆動させ、動噴ポンプ４２は薬液タンク３に貯留した薬液を吸い込み加圧する。送風ファンクラッチレバー２７ｄを操作すると、電磁クラッチ４８が作動し、送風ファン５２へ動力伝達され回転する。そしてバルブレバー２６を開くことにより、動噴ポンプ４２にて加圧された薬液は、散布装置５の噴霧ノズル５５より噴霧され、回転する送風ファン５２にて吸い込まれる空気の流れに乗り果樹木へ到達する。
【図面の簡単な説明】
【００１９】
【図１】  本発明におけるスピードスプレヤーの一部断面とした側面図
【図２】  一部断面とした平面図
【図３】  要部を示す側面図
【図４】  駆動伝達を示す後面図
【図５】  運転操作パネルの斜視図
【符号の説明】
【００２０】１      台車枠
１１    前輪
１２    後輪
１３    走行ミッション
１３ａ  走行用入力軸
１３ｄ  第１変速ブラケット
１３ｅ  第２変速ブラケット
１４    変速リンク
１５    第１操作ロット
１６    第２操作ロット
２      運転席
２１    座席
２２    走行変速レバー
２３    ハンドル
２４    クラッチペダル
２５    ブレーキペダル
２６    バルブレバー
２７    操作パネル
２７ａ  スイッチ
２７ｂ  アクセル
２７ｃ  回転計
２７ｄ  送風ファンクラッチレバー
２７ｅ  表示灯
２７ｆ  動墳ポンプクラッチレバー
２７ｇ  ホーンスイッチ
３      薬液タンク
４      駆動室
４１    エンジン
４１ａ  エンジン出力軸
４２    動噴ポンプ
４２ａ  動噴駆動軸
４２ｂ  動墳テンションプーリ
４３ａ  エンジンプーリ
４３ｂ  走行テンションプーリ
４３ｃ  走行プーリ
４４    ベルト
４５    動噴プーリ
４６    ベルト
４７    ドライブシャフト
４８    電磁クラッチ
５      散布装置
５１    回転軸
５２    送風ファン
５２ａ  羽根
５３    整風筒
５３ａ  静翼
５４    拡散板
５５    噴霧ノズル
５６    ファンカバー
【図１】
2005193092.tif 000003
【図２】
2005193092.tif 000004
【図３】
2005193092.tif 000005
【図４】
2005193092.tif 000006
【図５】
2005193092.tif 000007